(57)【要約】      （修正有）【課題】汎用的な電子通信機器によって、資格証明事項データを容易、かつ迅速に画面上に視認可能とし、資格証明事項データの確認を希望する者に対して利便性を図るようなシステムを構築する。【解決手段】資格証明事項データを提供するサーバーにアクセスするための情報を記録した、資格証明に用いる携行用カードを作成する。資格証明事項データを提供するサーバーにアクセスするための電子通信機器画面を表示させ、資格証明事項データを提供するサーバーを通してデータを配・受信し、電子通信機器画面上に資格証明事項データを視認容易とする。ネットワークを通じて、資格証明事項データの配・受信を行うことにより、資格証明事項データの追加・変更情報を管理し、提供するためのシステムを設定する。これによって、資格証明事項データの複合的な面でのデータ利用が可能とする。【選択図】図５
2009217806.tif 000002
【特許請求の範囲】
【請求項１】
電子通信機器を用いて、資格証明事項データを電子通信機器の表示画面上で確認するための資格証明事項データ通信システム
【請求項２】
情報データ・ベース機器を用いて、資格証明事項データを保全し、電子通信機器を通じて配・受信することにより、資格証明事項データを管理し、提供するための業務システム
【請求項３】
情報データ・ベース機器と電子通信機器を用いて行う、認証事項データの配・受信に関する通信・管理システム
【発明の詳細な説明】
【発明の詳細な説明】
【技術分野】
【０００１】本発明は、資格証明事項データを提供するサーバーにアクセスするための情報を記録した、ＱＲコード等のデータ読み取り用媒体を含有する、資格証明事項データの提示用の携行用カードに係るものである。【０００２】本発明は、資格証明事項データを保有する側が電気通信機器を用いて行う、資格証明事項データを提供するサーバーを通じての配・受信により資格証明事項データを電子通信機器の画面上で視認容易にし、利用効率を高めるための資格証明事項データ通信システムに係るものである。【０００３】本発明は、互いに面識のない当事者間において、一方の者の資格証明事項データを確認する際に、電子通信機器、資格証明事項データに関するネットワークを通じて、資格証明事項データの確認するための作業を簡素化・確実化させるシステムに係るものである。【０００４】本発明は、資格証明事項データを提供する側が、電子通信機器、資格証明事項データに関するネットワークを通じて、資格証明事項データの配・受信を行うことにより、資格証明事項データを管理し、提供するためのシステムに係るものである。【０００５】本発明は、資格証明事項データを提供する側が、電子通信機器、資格証明事項データに関するネットワークを通じて、資格証明事項データの配・受信を行うことにより、資格証明事項データの追加・変更情報を管理し、提供するためのシステムに係るものである。【０００６】本発明は、資格証明事項データを提供する側が、資格証明事項データを保有する側に対して資格証明事項データの配・受信を行うため、セキュリティー上の理由から、パスワード等を貸与することによって資格証明事項データを保全し、管理し、提供するためのシステムに係るものである。【０００７】本発明は、情報データベース機器と電子通信機器を用いて行う資格証明事項データの周辺情報や周辺規則等を資格証明事項データを提供する側が管理し、提供し、業務上利用するためのシステムに係るものである。【０００８】本発明は、情報データベース機器と電子通信機器を用いて行う資格証明事項データの周辺情報や周辺規則等を資格証明事項データを保有する側が利用するためのシステムに係るものである。
【背景技術】
【０００９】従来、資格、免許、あるいは検定試験の段・級位等を取得した場合、取得者に付与されていたのは、認定書や免状といったような比較的サイズの大きな書状であった。そのため携行に適せず、自己の資格、免許、あるいは検定試験の段・級位等を外出時に他人に提示し、視認させるような局面において利便性を欠いていた。また単に、資格証明事項データを提供する側が、資格証明事項データの内容を示した書状を発行するに過ぎず、このような書状を通して情報の交換を行う機会は殆んどなかった。【００１０】資格証明事項データを保有する側が、資格証明事項データを提供する側に対して、資格証明事項データの確認を求める機会は相当数あると思われるが、資格証明事項データを提供する側からの連絡は、郵送・個別Ｅ・メール等の手段に限られ、利便性を欠いていた。【００１１】企業での採用面接のような、互いに面識のない当事者間において、被雇用者側が自己の保有する資格証明事項データを雇用者側に示す機会は多い。このような場合、確認の手段は被雇用者側から提示された履歴書や職務経歴書によって行われるのが常であった。ところが、履歴書や職務経歴書に記載されている内容は被雇用者側からの一方的な情報であり、その真偽や現時点での正確な資格証明事項データを両者間で確認するための作業を迅速かつ確実に行うことは、困難であった。【００１２】資格証明事項データの内容を記録する場合、ＩＣカードのようにカード自体に個別の内容を記録しなければならないとなれば、効率的ではない。また、ＩＣカードにおいて資格証明事項データを管理、提供する際に、高価なソフトウェアを導入することを余儀なくされ、システム上不備が多かった。【００１３】資格証明事項データの周辺情報や周辺規則等を漸次資格証明事項データを保有する側に提供できれば便宜であると思われるが、資格証明事項データを提供する側への連絡は、郵送・個別Ｅメール等の手段によることが多い状況であった。
【背景技術】
【００１４】
【特許文献１】特開２００１−３５８３５１
【特許文献２】特開２００７−２２６６３７
【引用文献１】
雑誌『ゴルフ・ダイジェスト２００８．０６．０３号』
「日本ゴルファーズ検定」に関する記事。
【発明が解決しようとする課題】
【００１５】携帯電話機のような、汎用的な電子通信機器によって、資格証明事項データを容易、かつ迅速に画面上に視認可能とし、資格証明事項データの確認を希望する者に対して、利便性を図るようなシステムを構築しなければならない。資格証明事項データを確認する場面において、平易に電子通信機器の画面上で資格証明事項データを表示できれば、確認のための作業を確実に行うことができるからである。
【００１６】企業での採用面接のような、互いに面識のない当事者間において、被雇用者側が自己の保有する資格証明事項データを雇用者側に示す場合、資格証明事項データの内容について、客観的に信憑性と情報の最新性を高めなければならない。確認するための作業を迅速、かつ確実に行うようなシステムを構築しなければならない。さらには、個人情報流出を防止するために、データの配・受信を行う際には、セキュリティー機能を充実させた環境作りを行わなければならない。
【００１７】資格証明事項データの内容を記録する場合、ＩＣカードのようにカード自体に個別の内容を記録する手間を省くことが必要である。また、資格証明事項データを配・受信する場合に、あるいは資格証明事項データを管理する場合には、廉価で、実行可能性の高いシステム、およびネットワークを作り上げなければならない
【００１８】資格証明事項データの周辺情報や周辺規則等を漸次、資格証明事項データを保有する側に、効率的に提供できるようなシステム、およびネットワークを作り上げなければならない。
【課題を解決するための手段】
【００１９】［図１］は、資格証明事項データを提供するサーバーにアクセスするための情報を記録した、資格証明に用いる携行用カード（１）である。資格証明事項データを保有する側に対して、付与する。名刺サイズ程度であれば、携行に際して簡便といえる。資格証明事項データを提供するサーバーにアクセスするためのＱＲコード（２）を作成して、カード上に印刷する。ＱＲコードを携帯電話機でスキャニングし、資格証明事項データを提供するサーバーにアクセスする。サーバーでデータ管理を常時行うことによって、ＩＣカードのように、個別カードごとにデータを書き込む作業を省略可能にする。
【００２０】［図２］は、資格証明事項データを保有する側が利用するための、資格証明事項データの配・受信時における、携帯電話機の電子通信機器画面のチャートである。ＱＲコードを携帯電話機でスキャニングし、資格証明事項データを保有する側が利用する資格証明事項データの配信時における携帯電話機（３）に、資格証明事項データを提供するサーバーにアクセスするための電子通信機器画面（４）を表示させる。電子通信機器画面に、資格証明事項データを提供するサーバーにアクセスするためのアイコン（５）を表示する。資格証明事項データを提供するサーバーを通してデータを配・受信（６）し、資格証明事項データを保有する側が利用する携帯電話機（７）の電子通信機器画面（８）上に資格証明事項データが表示され、視認容易となり資格証明事項データの確認を実行できる。
【００２１】［図３］は、資格証明事項データを確認する際に、資格証明事項データの配・受信をセキュリティー上の理由から、パスワード等の乱数番号により、資格証明事項データを提供するサーバーを通しての資格証明事項データを配・受信を行うチャートである。資格証明事項データを保有する者の許可の下、乱数番号を得た資格証明事項データの確認を希望する側の配信時における携帯電話機（９）に、資格証明事項データを提供するサーバーにアクセスするため、電子通信機器画面（１０）が表示される。画面上の乱数番号入力箇所（１１）にパスワード等を入力し、資格証明事項データを提供するサーバーを通しての資格証明事項データ配・受信（１２）を行う。この手順により個人情報流出を防止するための、セキュリティ機能を達成できる。資格証明事項データの確認を希望する側の受信時における携帯電話機（１３）には、資格証明事項データをダウンロードした、電子通信機器画面（１４）が表示される。これにより、資格証明事項データの確認作業が可能となる。
【００２２】［図４］は、資格証明事項データの周辺情報や、周辺規則等のデータを利用するための、データを配・受信を行うチャートである。資格証明事項データを保有する側が、資格証明事項データの周辺情報や、周辺規則等の受信を希望する場合、配信時における携帯電話機（１５）に、周辺情報や、周辺規則等を提供するサーバーにアクセスするための電子通信機器画面（１６）を表示させる。電子通信機器画面に、資格証明事項データを提供するサーバーにアクセスするための、乱数番号入箇所（１７）を表示する。周辺情報や、周辺規則等の範囲の特定も設定可能である。乱数番号入力箇所（１７）にパスワード等を入力して、資格証明事項データを提供するサーバーを通しての資格証明事項データの周辺情報や、周辺規則等を配・受信（１８）する。資格証明事項データの周辺情報や、周辺規則等の受信を希望する側の受信時における携帯電話機（１９）には、周辺情報や、周辺規則等をダウンロードした電子通信機器画面（２０）が表示される。これにより、資格証明事項データの確認作業が可能となる。周辺情報や、周辺規則等のデータ・ファイルについては、フラッシュ加工等により、少ないメモリーで作成すれば、文字数が多い場合でも、ダウンロードの時間が節約でき、視覚上明瞭なデータ表示を実行可能である。画面スクロール用のアイコンにより、資格証明事項データの周辺情報や、周辺規則等のデータを変動可能にすれば、全文掲載も含めての広範囲な情報の提供を可能とし、必要に応じて、必要箇所の抽出も可能なため、使用者の便宜を図れる。
【００２３】［図５］は、ネットワークを通じて、資格証明事項データの配・受信を行うことにより、資格証明事項データの追加・変更情報を管理し、提供するためのシステムに係るものである。資格証明事項データを保有する側の配信時の携帯電話機（２１）から、資格証明事項データを提供する側の情報データ・ベース機器（２３）へ、配・受信を行う（２２）。資格証明事項データを提供する側の情報データ・ベース機器（２３）は無線ＬＡＮ（２４）等で、資格証明事項データを提供する側のホスト・コンピューター（２６）とつながっている。資格証明事項データを提供する側のホスト・コンピューター（２６）から、追加・変更情報をＳＳＬキーで管理するため、資格証明事項データを提供する側の情報データ・ベース機器（２３）にデータ送信（２５）する。資格証明事項データを提供する側の情報データ・ベース機器（２３）とネットワークを構成するインターネット・サーバー（３７）への送・受信（２７）を行う。資格証明事項データを提供する側のホスト・コンピューター（２６）からも、直接ネットワークを構成するインターネット・サーバー（３７）への送・受信（２８）を行う。ネットワークを構成するインターネット・サーバー（３７）からは、資格証明事項データを保有する側の受信時の携帯電話機（３９）へ、管理している情報の一部、または全部について、送信（３８）を行う。他の資格証明事項データを提供する側のホスト・コンピューター（３３）から、ＳＳＬキーで管理するために、資格証明事項データを提供する側の情報データ・ベース機器（２３）にデータ送信（３０）するように設定する。他の資格証明事項データを提供する側の情報データ・ベース機器（３６）は無線ＬＡＮ（３５）等で、資格証明事項データを提供する側のホスト・コンピューター（３３）とつながっている。また、他の資格証明事項データを提供する側の情報データ・ベース機器（３６）とネットワークを構成するインターネット・サーバー（３７）への送・受信（３４）を行う。資格証明事項データを提供する側のホスト・コンピューター（３３）からも、直接ネットワークを構成するインターネット・サーバー（３７）への送・受信（３２）を行う。資格証明事項データを保有する側の配信時の携帯電話機（２１）から、直接ネットワークを構成するインターネット・サーバー（３７）へのアクセス（２９）も可能である。さらに、資格証明事項データを提供する側の情報データ・ベース機器（２３）から、直接資格証明事項データを保有する側の受信時の携帯電話機（３９）に、配信（３１）を行うこともできるように設定する。
【発明を実施するための最良の形態】
【００２４】［図１］は、資格証明事項データを提供するサーバーにアクセスするための情報を記録した、資格証明に用いる携行用カード（１）である。資格証明事項データを保有する側に対して、付与する。サイズ設定は、名刺サイズ程度が望ましいが、任意に設定できる。資格証明事項データを提供するサーバーにアクセスするためのＱＲコード（２）を作成して、カード上に印刷する。ＱＲコードには、付与された者の資格証明事項データに関する情報と資格証明事項データを提供するサーバーにアクセスするための情報を併記する。
資格証明事項データを統括的に管理、提供するシステムをインターネット・サーバーで常時行えば、ＩＣカードのように、個別カードごとにデータを書き込む作業を省略可能にする。【００２５】［図２］は、資格証明事項データを保有する側が利用するための、資格証明事項データの配・受信時における、携帯電話機の電子通信機器画面のチャートである。ＱＲコードを携帯電話機でスキャニングし資格証明事項データを保有する側が利用する資格証明事項データの配信時における携帯電話機（３）に、資格証明事項データを提供するサーバーにアクセスするための電子通信機器画面（４）を表示させる。電子通信機器画面に、資格証明事項データを提供するサーバーにアクセスするためのアイコン（５）を表示する。アクセスするためのアイコン（５）をパスワード等の乱数番号の入力を必須にするかどうかは、任意に設定できる。資格証明事項データを提供するサーバーを通してデータを配・受信（６）し、資格証明事項データを保有する側が利用する携帯電話機（７）の電子通信機器画面（８）上に資格証明事項データが表示され、視認容易となり、資格証明事項データの確認を実行できる。電子通信機器画面（８）上に表示する資格証明事項データは、フラッシュ加工等により少ないメモリーで作成すれば、ダウンロードの時間が節約でき、視覚上明瞭な効果を得ることも可能である。【００２６】［図３］は、資格証明事項データを確認する際に、資格証明事項データ資格証明事項データの配・受信をセキュリティー上の理由から、パスワード等の乱数番号により、資格証明事項データを提供するサーバーを通しての資格証明事項データを配・受信を行うチャートである。資格証明事項データを保有する者の許可の下、乱数番号を得た資格証明事項データの確認を希望する側の配信時における携帯電話機（９）に、資格証明事項データを提供するサーバーにアクセスするため、電子通信機器画面（１０）が表示される。画面上の乱数番号入力箇所（１１）にパスワード等を入力し、資格証明事項データを提供するサーバーを通しての資格証明事項データ配・受信（１２）を行う。資格証明事項データの確認を希望する側に対して、上記資格証明事項データの配・受信（１２）における業務を有償にし、事業化することも可能である。この場合、資格証明事項データの確認用パスワード等を別途貸与するようにも設定できるものとする。資格証明事項データの確認を希望する側の受信時における携帯電話機（１３）には、資格証明事項データをダウンロードした、電子通信機器画面（１４）が表示される。これにより、資格証明事項データの確認作業が可能となる。【００２７】［図４］は、資格証明事項データの周辺情報や、周辺規則等のデータを利用するための、データを配・受信を行うチャートである。資格証明事項データを保有する側が、資格証明事項データの周辺情報や、周辺規則等の受信を希望する場合、配信時における携帯電話機（１５）に、周辺情報や、周辺規則等を提供するサーバーにアクセスするための電子通信機器画面（１６）を表示させる。周辺情報や、周辺規則等の範囲の特定も設定可能である。たとえば、野球の検定資格を持つ者が、野球の規則を確認したいような場合、ルールブックの一部、または全部の電子通信機器画面での即時表示による確認作業を可能とする。資格証明事項データを提供するサーバーにアクセスするための、乱数番号入力箇所（１７）を表示する。アクセス用のパスワード等を有償貸与として、事業化することが可能である。乱数番号入力箇所（１７）にパスワード等を入力して、資格証明事項データを提供するサーバーを通しての資格証明事項データの周辺情報や、周辺規則等を配・受信（１８）する。資格証明事項データの周辺情報や、周辺規則等の受信を希望する側の受信時における携帯電話機（１９）には、周辺情報や、周辺規則等をダウンロードした電子通信機器画面（２０）が表示される。これにより、資格証明事項データの確認作業が可能となる。周辺情報や、周辺規則等のデータ・ファイルについては、フラッシュ加工等により少ないメモリーで作成すれば、文字数が多い場合でも、ダウンロードの時間が節約でき、視覚上明瞭なデータ表示を実行可能である。実際に、野球の規則のルールブック等の場合、相当数の文字データの表示が可能である。画面スクロール用のアイコンにより、資格証明事項データの周辺情報や、周辺規則等のデータを変動可能にすれば、使用者の便宜を図れる。【００２８】［図５］は、インターネット・サーバーとネットワークを通じて、資格証明事項データの配・受信を行うことにより、資格証明事項データの追加・変更情報を管理し、提供するためのシステムである。資格証明事項データを保有する側の配信時の携帯電話機（２１）から、資格証明事項データを提供する側の情報データ・ベース機器（２３）へ、配・受信を行う（２２）。資格証明事項に関連する情報、その他の情報の取得を希望する場合、当該作業を処理するための機能を、資格証明事項データを提供する側の情報データ・ベース機器（２３）に設定することも可能である。資格証明事項データを提供する側の情報データ・ベース機器（２３）は無線ＬＡＮ（２４）等で、資格証明事項データを提供する側のホスト・コンピューター（２６）とつながっている。資格証明事項データを提供する側のホスト・コンピューター（２６）から、データの追加・変更情報の処理をＳＳＬキーで実行するために、情報データ・ベース機器（２３）に、データ送信（２５）する。これにより、資格証明事項データの最新データを管理、提供することを可能にする。資格証明事項データを提供する側の情報データ・ベース機器（２３）とネットワークを構成するインターネット・サーバー（３７）への送・受信（２７）を行う。資格証明事項データを提供する側のホスト・コンピューター（２６）からも、直接ネットワークを構成する、インターネット・サーバー（３７）への送・受信（２８）を行う。ネットワークを構成する、インターネット・サーバー（３７）からは、資格証明事項データを保有する側の、受信時の携帯電話機（３９）へ、管理している情報の一部、または全部につき、送信（３８）を行う。また他の資格証明事項データを提供する側のホスト・コンピューター（３３）から、ＳＳＬキーで処理することを目的とし、情報データ・ベース機器（２３）にもデータ送信（３０）するように設定する。これによって、資格証明事項データの複合的な面でのデータ利用が可能となる。他の資格証明事項データを提供する側の情報データ・ベース機器（３６）は無線ＬＡＮ（３５）等で、資格証明事項データを提供する側のホスト・コンピューター（３３）とつながっている。さらに、他の資格証明事項データを提供する側の情報データ・ベース機器（３６）と、ネットワークを構成するインターネット・サーバー（３７）との間では、送・受信（３４）が行われる。一方で、資格証明事項データを提供する側のホスト・コンピューター（３３）からも、直接ネットワークを構成するインターネット・サーバー（３７）への送・受信（３２）を行う。インターネット・サーバー（３７）からは、周辺情報の提供も可能である。資格証明事項データを保有する側の配信時の携帯電話機（２１）から、直接的にネットワークを構成するインターネット・サーバー（３７）へのアクセス（２９）も可能である。資格証明事項データを提供する側の情報データ・ベース機器（２３）から、直接資格証明事項データを保有する側の受信時の携帯電話機（３９）へ、情報データの配信（３１）を行うこともできるように設定する。
【実施例】
【００２９】資格証明に用いる携行用カード上に印刷された、ＱＲコードを携帯電話機でスキャニングし、資格証明事項データを提供するサーバーにアクセスする。囲碁・将棋等の級・段位を保有する者がサーバーを通じて、携帯電話機のような汎用的な電子通信機器によって、資格証明事項データを容易、かつ迅速に画面上に視認可能とし、資格証明事項データの確認ができる。【００３０】資格証明事項データを保有する側と、資格証明事項データを提供する側との相互アクセスを図ることができる。資格証明事項データの周辺情報や、上級資格への携帯電話機を通じての実施等のサービスを提供できる。【００３１】互いに面識のない当事者間において、資格証明事項データの内容について、客観的に信憑性のあるデータ取得と資格証明事項データの最新情報を確認できる。相手方の、最終学歴や英検・簿記等資格を正確に把握することが可能である。当事者間においての、パスワード等の相互管理によって、セキュリティー機能を充実させるようにシステムを構築する。【００３２】資格証明事項データの周辺情報や、周辺規則等のデータを利用するための、データを配・受信を行えるように設定する。規則等の提供は、必ずしも資格証明事項データの周辺に関するものでなくともよい。また、規則等の提供は、有償・無償問わず任意に設定できるものとする。一例を挙げれば、野球の検定資格を持つ者が、野球の規則を確認したいような場合、ルールブックの一部、または全部の電子通信機器画面で確認作業をするような場合であるが、特に資格を持っていないものに対しても提供可能なサービスとすることも可能である。サービス提供のためのアクセス用のパスワード等を有償貸与として、事業化することが可能である。周辺情報や、周辺規則等のデータ・ファイルについては、フラッシュ加工等により少ないメモリーで作成すれば、文字数が多い場合でも、ダウンロードの時間が節約でき、視覚上明瞭なデータ表示を実行可能である。【００３３】  情報データ・ベース機器を用いて資格証明事項データを保全し、インターネット・サーバーを通じて、携帯電話機等により他の資格証明事項に関するデータを複合的に、管理し、提供することができるようにネットワークを構成する。異なった資格を持つ者の希望により、たとえば、英検と珠算などの資格証明事項データを同時かつ一義的に提供することが、可能である。このネットワーク内において、上級レベルの検定業務の提供等も可能である。一例を挙げると、簿記で３級を取得しているものが、携帯電話機によりネットワークを通じて２級を受験できるように設定するような場合である。また、上級レベルを目指すものに対し、関連テキストの有償・無償による提供を行うことも可能である。【００３４】上記ネットワーク内では、資格証明事項データに関連する商品の紹介や周辺規則等の提供を行うことも可能である。また、所属ゴルフ・クラブにおいての最新ハンデキャップや、月例競技の成績の提供を行うように設定することができる。【００３５】フグ調理や、危険物取り扱いのような実務に携わる際に、相手に対して当該資格証明事項データを迅速に提示できる。
【発明の効果】
【００３６】本発明は、以上説明したように構成されているので、以下に記載されている効果を奏する。
【００３７】囲碁・将棋等の級・段位を保有する側が、サーバーを通じて、携帯電話機のような汎用的な電子通信機器によって資格証明事項データを容易、かつ迅速に画面上に視認可能であり、資格証明事項データ保有者の欲求を充足する。
【００３８】資格証明事項データを保有する側と、資格証明事項データを提供する側との相互アクセスを図ることができる。資格証明事項データを提供する側からは、周辺情報や、上級資格への携帯電話機を通じての実施等のサービスを提供することで、事業の拡大が図れる。
【００３９】サーバー内でホスティングし、ＩＣカードのように、カード自体に個別の内容を記録する必要がなく、効率的にデータの配・受信が行える。
【００４０】資格証明事項データの周辺情報や周辺規則等をサーバー経由で、平易に資格証明事項データを保有する側に提供できる。
【００４１】上級資格に対し、携帯電話機を通じての利便な参加が可能である。
【００４２】資格証明事項データの周辺情報や、周辺規則等のデータを利用するための、データを配・受信が可能であり、利用する側の便宜が図れると同時に、提供する側の事業としての活用も図れる。
【００４３】互いに面識のない当事者間において、資格証明事項データの内容について、客観的に信憑性のあるデータ取得と資格証明事項データの最新情報の確認により、相手方の虚偽の事実を看破しうる。当事者間においての、パスワード等の相互管理によって、個人情報の流出を防止し、セキュリティー機能を発揮できる。
【００４４】資格証明事項データの変更・追加要素や複合的要素を、効率的に提供できるようなネットワークを構築できる。また、資格証明事項データを総合的に、情報データ・ベース機器内で、ＳＳＬキーで処理することにより、廉価で、実行可能性の高いシステムが実現でき、事業拡大の面で有益である。
【００４５】ネットワーク内においては、上級レベルの検定業務の提供等も可能であり、付帯的事業として、上級レベルを目指すものに対する関連テキストの提供により新規需要を生み出すことができる。
【００４６】資格証明事項データの種類によっては、生年月日を特定しうるものもあることから、このようなデータを利用して携帯電話機等に取り込むことによって、「成年によるタバコ購入認識カード」発行・取得のような面倒な手間がかからずに、個人認証の手段として用いることが可能である。
【００４７】上記ネットワーク内では、資格証明事項データに関連する商品の紹介や周辺規則等の提供を行うことも可能であり、また、所属ゴルフ・クラブにおいての最新ハンデキャップや、月例競技の成績の提供を行うように設定することができることから、利用者の欲求を充足させうる。
【００４８】フグ調理や、危険物取り扱いのような範疇においての実行に関わる局面において、電子通信により、資格証明を保持する者の信用を担保し、利用する者の危険負担をも回避できる。
【００４９】資格証明事項データのファイル形式により、視覚上効果的に表示できる。
【図面の簡単な説明】
【００５０】
【図１】資格証明事項データを提供するサーバーにアクセスするための情報を記録した、資格証明に用いる携行用カードである。
【図２】資格証明事項データを保有する側が利用する、資格証明事項データの配・受信時における、携帯電話機の電子通信機器画面のチャートである。
【図３】資格証明事項データを確認する際に、乱数番号により、資格証明事項データを提供するサーバーを通しての資格証明事項データを配・受信を行うチャートである。
【図４】資格証明事項データの周辺情報や、周辺規則等のデータを利用するための、データを配・受信を行うチャートである。
【図５】インターネット・サーバーとネットワークを通じて、資格証明事項データの配・受信を行うことにより、資格証明事項データの追加・変更の情報を管理し、提供するためのシステムである。
【符号の説明】
【００５１】１  資格証明に用いる携行用カード
２  サーバーにアクセスするためのＱＲコード
３  資格証明事項データの配信時における携帯電話機
４  資格証明事項データを提供するサーバーにアクセスするための電子通信機器画面
５  資格証明事項データを提供するサーバーにアクセスするためのアイコン
６  サーバーを通してデータを配・受信
７  資格証明事項データを保有する側が利用する携帯電話機
８  電子通信機器画面
９  資格証明事項データの確認を希望する側の配信時における携帯電話機
１０電子通信機器画面
１１画面上の乱数番号入力箇所
１２資格証明事項データ配・受信
１３資格証明事項データの確認を希望する側の受信時における携帯電話機
１４資格証明事項データをダウンロードした、電子通信機器画面
１５配信時における携帯電話機
１６周辺情報や、周辺規則等を提供するサーバーにアクセスするための電子通信機器画面
１７サーバーにアクセスするための、乱数番号入力箇所
１８周辺情報や、周辺規則等の配・受信
１９周辺情報や、周辺規則等の受信を希望する側の受信時における携帯電話機
２０周辺情報や、周辺規則等をダウンロードした電子通信機器画面
２１資格証明事項データを保有する側の配信時の携帯電話機
２２配・受信
２３資格証明事項データを提供する側の情報データ・ベース機器
２４無線ＬＡＮ
２５データ送信
２６資格証明事項データを提供する側のホスト・コンピューター
２７インターネット・サーバーへの送・受信
２８インターネット・サーバーへの送・受信
２９インターネット・サーバーへのアクセス
３０資格証明事項データを提供する側の情報データ・ベース機器へのデータ送信
３１直接資格証明事項データを保有する側の受信時携帯電話機への配信
３２直接ネットワークを構成するインターネット・サーバーへの送・受信
３３他の資格証明事項データを提供する側のホスト・コンピューター
３４インターネット・サーバーへの送・受信
３５無線ＬＡＮ
３６他の資格証明事項データを提供する側の情報データ・ベース機器
３７インターネット・サーバー
３８管理している情報の一部、または全部についての送信
３９資格証明事項データを保有する側の受信時の携帯電話機
【図１】
2009217806.tif 000003
【図２】
2009217806.tif 000004
【図３】
2009217806.tif 000005
【図４】
2009217806.tif 000006
【図５】
2009217806.tif 000007